(57)【要約】【課題】サイフォン開始時間が遅い場合でも排水口より排水が逆流することがなく、更に、従来の技術にありがちな、排水口よりエアを吸い込むノイズ（ズ−ズ−という音）を解消した新しいサイフォン排水システムを提供するものである。【解決手段】サイフォン式排水システムにあって、水回り器具と横引き管との間に貯水手段を敷設し、水回り器具からの一度に大量の排水があった場合、排水を一時的に当該貯水手段内に溜めるようにし、かつ、当該貯水手段には通気機能を備えたことを特徴とする貯水機能付きサイフォン式排水システム。１‥立て管、２‥横引き管、３‥浴槽、４‥洗い場、５‥トラップ、６‥合流継手、７‥床スラブ、１０‥チャンバ−、１１‥エア抜きパイプ。【選択図】図３
2006336322.tif 000002
【特許請求の範囲】
【請求項１】
サイフォン式排水システムにあって、水回り器具と横引き管との間に貯水手段を敷設し、水回り器具からの一度に大量の排水があった場合、排水を一時的に当該貯水手段内に溜めるようにし、かつ、当該貯水手段には通気機能を備えたことを特徴とする貯水機能付きサイフォン式排水システム。
【請求項２】
横引き管とトラップとの間に貯水手段としてチャンバ−を備えた請求項１記載の貯水機能付きサイフォン排水システム。
【請求項３】
トラップ自体に貯水手段としてチャンバ−を備えた請求項１記載の貯水機能付き排水システム。
【請求項４】
水回り器具とトラップの間に貯水手段としてチャンバ−を備えた請求項１記載の貯水機能付き排水システム。
【請求項５】
貯水手段に大気への開放型通気装置を備えた請求項１乃至４いずれか１記載の貯水機能付き排水システム。
【請求項６】
貯水手段に閉鎖型通気装置を備えた請求項１乃至４いずれか１記載の貯水機能付き排水システム。
【請求項７】
貯水手段の外表面に遮音手段を備えた請求項１乃至４いずれか１記載の貯水機能付き排水システム。
【発明の詳細な説明】
【技術分野】
【０００１】
本発明はサイフォン排水システムにあって、サイフォン開始までに生じる不具合を解決しようとするものである。
【背景技術】
【０００２】
従来より採用されている排水システムにあっては、横引き排水管に勾配を付け排水に流れを付与しているが、横引き管の長さが長くなるとその分だけ床下の空間を広げる必要があった。しかるに、床下の空間が広げられないという設計上の規制のあるところでは横引き排水管の敷設が難しいという欠点があった。
【０００３】
近年、かかる排水システムの欠点を解決するためにサイフォン力を利用した排水システムが開発された（特許文献１）。これは、横引き排水管に勾配を付ける必要がなく、新しい排水システムとして注目されている。
【０００４】
【特許文献１】特開２０００−２９７４４７号公報
【０００５】
しかるに、上記のサイフォン排水システムにあっても尚解決しなくてはならない点が指摘されており、その水回り器具の実際の排水とサイフォン開始までの間にタイムラグがある点であり、例えば、浴槽等のように、一度に大量の排水を行う場合にあっては、サイフォンが開始する以前に洗い場側の排水口より逆に溢れ出てしまうという欠点があった。そのため、排水システムの設計限界がサイフォンの開始時間によって決まり、言い換えれば、横引き管の設計に限界があった。
【発明の開示】
【発明が解決しようとする課題】
【０００６】
本発明はサイフォン排水システムにおけるかかる欠点を解決するため、本出願人は既に新たな改良を行い特許出願をしているが、本発明はこの提案の更なる改良であり、配管部分に通気機能を備えた貯水手段を敷設し、サイフォン開始時間が遅い場合でも排水口より排水が逆流することがなく、更に、従来の技術にありがちな、排水口よりエアを吸い込むノイズ（ズ−ズ−という音）を解消した新しいサイフォン排水システムを提供するものである。
【課題を解決するための手段】
【０００７】
本発明の要旨は、サイフォン式排水システムにあって、水回り器具と横引き管との間に貯水手段を敷設し、水回り器具からの一度に大量の排水があった場合、排水を一時的に当該貯水手段内に溜めるようにし、かつ、当該貯水手段には通気機能を備えたことを特徴とする貯水機能付きサイフォン式排水システムにかかるものである。
【０００８】
本発明を具体的に述べれば、その第１はサイフォン排水システムにあって、横引き管とトラップとの間にチャンバ−を備えたサイフォン排水システムである。
【０００９】
その第２はトラップ自体にチャンバ−を備えたサイフォン排水システムである。
【００１０】
その第３は水回り器具とトラップとの間にチャンバ−を備えたサイフォン排水システムである。
【００１１】
その第４は上記各チャンバ−を複数備えたサイフォン排水システムである。
【００１２】
そして、上記の各チャンバ−に大気に開放型或いは閉鎖型の通気機能を付加したサイフォン排水システムである。
【発明の効果】
【００１３】
本発明は、サイフォン排水システムに貯水機能を付与し、更に通気機能を付加したものであり、横引き管が長い場合や、一度に大量の排水がなされた場合でも、サイフォンが開始する前に排水が逆流するようなことがなくなったものであり、完成度の高いサイフォン排水システムとなったものである。そして、サイフォン力によって排水中にエアが巻き込まれて音なりが生じるが、この騒音の低減をも改良できたものである。
【発明を実施するための最良の形態】
【００１４】
本発明はサイフォン排水システムの欠点を解決するものであって、上記したように水回り器具と排水管を繋ぐ間の継手部分、トラップ、排水管等に先ず貯水機能を備えたものであり、サイフォン開始までの間、排水が一時溜るようにしたものである。そして、かかる貯水機能に通気機能を付加したものであって、貯水機能を十分に発揮できるようにしたものである。このため、排水システムの設計限界を従来のようなサイフォンの開始時間に寄ることがなく、適度な大きさのチャンバ−を設けることによって必要な排水処理能力によって決めることが可能となった。
【００１５】
図１はサイフォン排水システムの概要を示すものであり、符号の１は立て管、２は横引き管、３は水回り器具の一例である浴槽、４は洗い場、５はトラップである。そして、トラップ５に接続された横引き管２は、立て管１に落差Ｈをもって合流させるものであり、符号６はその合流継手、７は床スラブである。前記横引き管２は一般には合流させることなく、単に床スラブ７の表面に這わせておくだけのものであり、排水のための勾配を採らない。従って、排水力は落差Ｈ分だけのサイフォンを利用するものであり、サイフォンが働いた際には横引き管２内に留まる排水はサイフォン力によって強制的に排水されることとなる。
【００１６】
しかるに、サイフォンの開始の遅れについて言えば、横引き管２が長い場合に生じがちであり、水回り器具３の高さが低い場合も遅れがちとなる。しかるに、大量の排水があった場合の欠点はこれらが組み合わさった際により生じがちである。このため、本発明においては、水回り器具３と横引き管２との間に通気機能付き貯水手段１０を配置し、水回り器具３からの一度に大量の排水があった場合、排水を一時的に当該貯水手段１０内に溜めるようにし、サイフォンが開始するまで横引き管２に影響を与えないようにしたものである。
【００１７】
本発明の貯水手段１０としては特に限定することはないが、配管部や継手部に貯水手段、例えば貯水容量の大きい容器や配管を通常の太さよりも太い管体等の貯水容量の大きい容器を備えるものである。又、トラップにあっても貯水手段を兼ねることができ、例えば、トラップの外筒を従来の大きさよりも極めて大きくするものである。本発明ではこれらの貯水手段の具体例をチャンバ−と称している。
【００１８】
さて、かかるチャンバ−（貯水手段）にあっても更に改良が要請され、チャンバ−の容量を生かし切っていないという点である。図２はチャンバ−を用いたシステムの概要であり、浴槽３及び洗い場４の各排水口３ａ、４ａをトラップ５に接続し、次いでチャンバ−１０を配置した例であるが、チャンバ−１０内のエアａは排水時には逃げようがなく、チャンバ−１０内に封鎖されたままとなり、せっかく大きな容量のチャンバ−１０を備えたにもかかわらずこの容量に比例する効果は発揮できなかった。又、チャンバ−１０内のエアａを引き込むことによりズ−ズ−という騒音が発生することも避けられなかった。
【００１９】
かかる状況からみて、本発明がなされたものであり、チャンバ−１０内のエアａを逃がし、チャンバ−１０のボリュ−ムを有効に使用することができるものであり、エアａが逃げた分だけチャンバ−１０有効容量が広がり、その分貯水分が増え、サイフォンの開始時間の遅れをカバ−し、排水の逆流をも防止したものである。更には、エアａの吸引による騒音の発生が低減されることとなったものである。勿論、かかるチャンバ−の表面に遮音シ−ト等を貼り付けることによって騒音の低減を図ることも可能となったものである。
【実施例】
【００２０】
以下、本発明を実施例をもって更に詳細に説明する。図３は本発明のサイフォン排水システムの第１例を示す全体図であり、図４はその主要部の拡大図である。１は立て管、２は横引き管、３は水回り器具の一例である浴槽、４は洗い場、５はトラップである。そして、トラップ５より太径の接続管８（例えば５０Ａ）を介してチャンバ−１０が備えられ、これに続いて細径の横引き管２（例えば２０Ａ）が接続されている。この横引き管２は立て管１に落差Ｈをもって合流継手６に達するものである。前記横引き管２は一般には合流させることなく、単に床スラブ７の表面に這わせておくだけのものである。
【００２１】
さて、前記チャンバ−１０にあって、エア抜きパイプ１１が立設されている。かかるエア抜きパイプ１１を備えたことによって、チャンバ−１０内のエアａが効果的に出入りするものであり、チャンバ−１０のボリュ−ム内に排水が大量に抵抗なく貯水され、排出されることになる。パイプ１１の先端レベルは大量に排水される浴槽３の排水口３ａより高い位置にあるのがよく、これによってパイプ１１の先端よりの水の溢れるのを阻止することになる。
【００２２】
図５は本発明のサイフォン排水システムの第２例の全体図であり、チャンバ−１０は前記のチャンバ−とは異なり、前記した太径の接続管（例えば５０Ａ以上）８を長く取り、これをチャンバ−１０としたものである。勿論、この太径の接続管８にエア抜きパイプ１１を備えたものであり、これによってチャンバ−１０のボリュ−ムが有効に生かされることになる。
【００２３】
上記の各例では、エアａがパイプ１１より逃出することになるため、場合によっては臭気が発散することとなる．しかしながら、パイプ１１は浴室の外側に配置することが可能であり、かかる設計とすれば臭気はほとんど気にならない。更に、サイフォンが間欠となった場合には、エアａを吸い込むズ−ズ−という騒音も出るが、これもパイプ１１を浴室の外側に配置することにより騒音はほとんど問題がなくなることになる。更にこのチャンバ−１０に遮音材等を貼り付けることによって騒音を小さくすることも可能となったもので、例えば図５において符号２１はパイプ１１の外表面に巻かれた遮音テ−プである。
【００２４】
図６は本発明のサイフォン排水システムの第３例の全体図であり、チャンバ−１０の先端に閉鎖型の通気機能、具体的には伸縮可能な袋１２を備えておき、チャンバ−１０内のエアａを逃がす場合にはこの袋１２を膨らませ、エアａは系外に逃げないという構造も考えられる。この構造によれば、臭気の点が完全に解決することとなる。尚、袋１２を遮音壁２２にて囲むことも騒音の低減に効果がある。
【産業上の利用可能性】
【００２５】
本発明は以上の通りであり、サイフォン排水システムの改良に好んで採用されるが、かかる排水システムのみならず、従前の横引き管に勾配を付ける排水システムにもそのまま適用可能であり、リフォ−ムの際にも従前の排水システムにそのまま採用できるもので、その利用範囲は広い。
【図面の簡単な説明】
【００２６】
【図１】図１はサイフォン排水システムの概要を示す。
【図２】図２はチャンバ−を備えたサイフォン排水システムの概要を示す。
【図３】図３は本発明のサイフォン排水システムの第１例を示す図である。
【図４】図４は図３の主要部の拡大図である。
【図５】図５は本発明のサイフォン排水システムの第２例を示す図である。
【図６】図６は本発明のサイフォン排水システムの第３例を示す図である。
【符号の説明】
【００２７】
１‥立て管、
２‥横引き管、
３‥浴槽、
４‥洗い場、
５‥トラップ、
６‥合流継手、
７‥床スラブ、
８‥太径の接続管、
１０‥チャンバ−、
１１‥エア抜きパイプ、
１２‥エア抜き袋、
２１、２２‥遮音手段。
【図１】
2006336322.tif 000003
【図２】
2006336322.tif 000004
【図３】
2006336322.tif 000005
【図４】
2006336322.tif 000006
【図５】
2006336322.tif 000007
【図６】
2006336322.tif 000008